(57)【要約】【課題】従来よりも長さを伸長させることに時間のかからないキュースティックを提供することを目的とする。【解決手段】キュースティック１のバット５は、エクステンション６と向かい合う端面５３の中央に嵌合穴５２を形成し、嵌合穴５２の周囲には２以上の永久磁石５６、５７の異なる磁極面を露出するように配置し、エクステンション６のバット５と向かい合う端面６２の中央にはバット５の嵌合穴５２に回転自在に嵌め合う嵌合突起６１を具備し、嵌合突起６１の周囲の端面にはバット５の端面に配置した永久磁石と対応する位置に２以上の永久磁石６４、６５の異なる磁極面を露出するように配置した。【選択図】図２
2008022966.tif 000002
【特許請求の範囲】
【請求項１】
球を突くタップと、該タップと連結するシャフト及び該シャフトと連結するバットを有するキューに着脱自在なエクステンションを備えたキュースティックにおいて、
前記キューのバットは、前記シャフトと連結する反対側のエクステンションと向かい合う端面の中央に嵌合穴を形成し、該嵌合穴の周囲の端面には２以上の永久磁石の異なる磁極面を露出するように配置し、
前記エクステンションの前記バットと向かい合う端面の中央には前記バットの嵌合穴に回転自在に嵌め合う嵌合突起を具備し、該嵌合突起の周囲の端面には前記バットの端面に配置した２以上の永久磁石と対応する位置に２以上の永久磁石の異なる磁極面を露出するように配置したことを特徴とするキュースティック。
【請求項２】
前記嵌合穴および嵌合突起は先端がテーパー状の先細りであることを特徴とする請求項１に記載のキュースティック。
【請求項３】
前記バットの端面の周囲に端面から突出するようにパッキン材を設けたことを特徴とする請求項１または請求項２に記載のキュースティック。
【発明の詳細な説明】
【技術分野】
【０００１】
本発明は、ビリヤードに用いられるキュースティックに関する。
【背景技術】
【０００２】
ポケットビリヤード、キャロムビリヤードおよびスヌーカ等のビリヤード競技に用いられるキュー２ｊは、例えば特許文献１に示されるように、シャフト４とバット７とを連結させた細長い棒形状の先端に球を突くタップ３を取り付けた構造となっている。そして、競技者は一方の手の指先をシャフト４を支えるブリッジにし、他方の手でバット７をグリップし、ブリッジ上にシャフト４をスライドさせることによってビリヤード台１００に配置された球を突き、所定のルールに従ってその技量を競い合う。
【０００３】
ところで、ビリヤード台１００は図１０に示すように縦長の略矩形に形成されており、球の配置によっては、通常のビリヤードキュー２ｊの長さではそのタップ３を球に届かせることが困難な場合も多い。
【０００４】
そこで、ビリヤードキュー２ｊの長さを伸長させるために、ビリヤードキュー２ｊのバット７に更にエクステンション８を取り付けることがある。ここで従来のエクステンション８の取付例について図１１および図１２を参照しつつ説明する。従来のビリヤードキュー２ｊにおいては、バット７の端面のうち、シャフト４と連結される端面と反対側の端面の中央に螺子穴７１が設けられ、更に螺子穴７１の先端は円錐形の穴７２が設けられている。一方、エクステンション８の端面は上述のバット７端面と嵌合する形状８１が形成されている。
【０００５】
ビリヤードキュー２ｊにエクステンション８を取り付けるときには、上述のバット７の端面の螺子穴７１とエクステンションの端面の螺子８１とを螺合させて固定する。
【特許文献１】特開２００２−６５９３４号公報
【発明の開示】
【発明が解決しようとする課題】
【０００６】
しかしながら、螺子締め固定するには、ねじ山の数だけバット７とエクステンション８とを逆向きに回転させなければならないので、時間がかかる。また、エクステンション８をビリヤードキュー２ｊから取り外す際にも螺子８１を緩めるのに、一定の時間がかかる。ビリヤード競技においてはルール上、対戦相手が球を突いてから所定の時間、例えば３０秒以内に自分が球を突かなければならないので、このようにエクステンション８の着脱に係る時間を短縮することが課題となっている。
【０００７】
そこで本発明は、従来よりも短時間でエクステンションの着脱を行えるキュースティックを提供することを目的とする。
【課題を解決するための手段】
【０００８】
上記目的を達成するための請求項１の発明に係るキュースティックは、球を突くタップと、該タップと連結するシャフト及び該シャフトと連結するバットを有するキューに着脱自在なエクステンションを備えたキュースティックにおいて、前記キューのバットは、前記シャフトと連結する反対側のエクステンションと向かい合う端面の中央に嵌合穴を形成し、該嵌合穴の周囲の端面には２以上の永久磁石の異なる磁極面を露出するように配置し、前記エクステンションの前記バットと向かい合う端面の中央には前記バットの嵌合穴に回転自在に嵌め合う嵌合突起を具備し、該嵌合突起の周囲の端面には前記バットの端面に配置した２以上の永久磁石と対応する位置に２以上の永久磁石の異なる磁極面を露出するように配置したことを特徴とする。
【０００９】
請求項２の発明に係るキュースティックは、請求項１に記載のキュースティックにおいて、前記嵌合穴および嵌合突起は先端がテーパー状の先細りであることを特徴とする。
【００１０】
請求項３の発明に係るキュースティックは、請求項１または請求項２に記載のキュースティックにおいて、前記バットの端面の周囲に端面から突出するようにパッキン材を設けたことを特徴とする。
【発明の効果】
【００１１】
請求項１の発明に係るキュースティックは、バットのエクステンションと向き合う端面の中央に設けられた嵌合穴と、エクステンションのバットと向き合う端面の中央に設けられた嵌合突起と、を嵌合し、嵌合穴および嵌合突起の周囲の端面に配置された永久磁石の異なる磁極面を密着させることで固定するので、螺子締めのように回転させる必要が無く、取り付けにかかる時間を短くできる。
【００１２】
また、請求項１の発明に係るキュースティックは、嵌合穴と嵌合突起が回転自在に嵌め合われるので、バットとエクステンションとを逆向きに回転させ、嵌合穴および嵌合突起の周囲の端面に配置された永久磁石の同一の磁極面を合わせることで、磁極面の反発力を利用して分離することができる。異なる磁極面が密接し、バットとエクステンションとが固定された状態から、同一の磁極面が合わさる状態までは、最大でも１８０度回転させればよいので、螺子締めのように多く回転させる必要が無く、取り外しにかかる時間を短くできる。
【００１３】
請求項２の発明に係るキュースティックは、嵌合穴および嵌合突起の先端がテーパー状であるので、嵌合穴および嵌合突起を嵌め込み易い。
【００１４】
請求項３の発明に係るキュースティックは、バットの端面の端面の周囲に端面から突出するようにパッキン材を設けたので、エクステンションを取り外した際にパッキン材がクッションとなり、例えば床などに落とした場合にも傷がつかない。
【発明を実施するための最良の形態】
【００１５】
本発明のキュースティック１の実施形態について、図１乃至図９を参照しつつ説明する。
【００１６】
キュースティック１は、図１に示すように、先端に配置され球を突く部分であるタップ３と、タップ３に連結される細長い丸棒状のシャフト４と、シャフト４に連結される競技者の把持部分であるバット５と、を有するキュー２に、当該キュー２を伸長させる部材であるエクステンション６を取り付けて成る。なお、競技時にはエクステンション６を取り付けずにキュー２のみを用いて球を突くことができ、球がキュー２の先端に配置されタップ３が届きにくい配置となっているときには、エクステンション６を取り付けたキュースティック１を用いて球を突くことができる。また、タップ３は例えばシャフト４の先端に嵌め込むことで固定されており、シャフト４とバット５とはそれぞれの向かい合う端面に設けられた螺子５１および螺子穴４１を螺合することによって固定されている。
【００１７】
バット５は、シャフト４と連結する端面と反対側の端面５３、すなわちエクステンション６と連結する側の端面５３の中央に嵌合穴５２を設けている。図２乃至図４に良く現れているように、嵌合穴５２は開口部から所定の深さまでが円柱形に形成されており、更に先端はテーパー形状となっている。嵌合穴５２の周囲には２個の永久磁石５６、５７が端面５３に異なる磁極面を露出するように配置されている。すなわち永久磁石５６はＳ極側が端面５３に露出するように嵌合穴５２の周囲に埋め込まれており、永久磁石５７はＮ極側が端面５３に露出するように嵌合穴５２の周囲に埋め込まれている。なお、この２個の永久磁石５６、５７はキュースティック１の中心軸に対称に配置されている。
【００１８】
エクステンション６はバット５と向かい合う端面６２の中心に嵌合突起６１を設けている。図２乃至図４に良く現れているように、嵌合突起６１は例えば真鍮等の非磁性体で構成され、エクステンション６の内部に一部が埋め込まれて接着されており、根元から所定の長さまでが円柱形に形成されているとともに、更に先端はテーパー状に形成されており、前述のバット５の端面５３に設けられた嵌合穴５２に嵌合する形状である。嵌合突起６１の周囲には２個の永久磁石６４、６５が端面６２に異なる磁極面を露出するように配置されている。すなわち永久磁石６４はＮ極側が端面６２に露出するように嵌合突起６１の周囲に埋め込まれており、永久磁石６５はＳ極側が端面６２に露出するように嵌合突起６１の周囲に埋め込まれている。なお、この永久磁石６４、６５はキュースティック１の中心軸に対称に配置されている。
【００１９】
キュー２のバット５にエクステンション６を取り付けるときには、バット５の端面５３に形成された嵌合穴５２にエクステンション６の端面６２から突起した嵌合突起６１を嵌め込み、バット５の端面５３にＳ極側が露出している永久磁石５６と、エクステンション６の端面６２にＮ極側が露出している永久磁石６４と、が合わさる位置に回転させる。このときＮ極側を露出させた永久磁石５７と、Ｓ極側を露出させた永久磁石６５と、も合わさる位置となる。したがって、永久磁石５６と永久磁石６４とが引き合い、永久磁石５７と永久磁石６５とが引き合うこととなり、図３に示すように、キュー２のバット５にエクステンション６が取り付けられ固定されることとなる。
【００２０】
上述のように、嵌合突起６１の先端がテーパー状となっていることで、競技者は簡単に嵌合突起６１を嵌合穴５２に挿入することができる。また、嵌合突起６１の根元付近および嵌合穴５２の開口部付近が円柱形となっていることで、永久磁石５６、５７、６４、６５の引き付ける力および斥ける力がキュースティック１の長手方向にぶれずに働くこととなるので、バット５にエクステンション６を安定的に固定することができる。
【００２１】
なお、本実施例のようにバット５の端面５３とエクステンション６の端面６２とにそれぞれ２個の異なる磁極面を露出させた永久磁石５６、５７、６４、６５を配置する場合は、バット５とエクステンション６とを固定した時の位置関係が必ず一定のものとなる。したがって、バット５とエクステンション６とにまたがる模様などの装飾を表面に施している場合に、この表面装飾がずれることがない。
【００２２】
キュー２のバット５からエクステンション６を取り外すときには、図４に示すように、エクステンション６をキュースティック１の中心軸を軸として回転させる。バット５にエクステンション６が固定された状態から１８０度回転させると、バット５の端面５３にＳ極側を露出させている永久磁石５６およびエクステンション６の端面６２にＳ極側を露出させている永久磁石６５があわさる位置となり、バット５の端面５３にＮ極側を露出させている永久磁石５７およびエクステンション６の端面６２にＮ極側を露出させている永久磁石６４が合わさる位置となる。したがって、永久磁石５６と永久磁石６５とが反発し、永久磁石５７と永久磁石６４とが反発するのでキュー２のバット５からエクステンション６が取り外されることとなる。
【００２３】
バット５のエクステンション６と向き合う端面５３の外周側には、図５に示すように、輪ゴム形状のパッキン材５８がバット５の端面５３から突き出すように配置されている。このパッキン材５８はゴムやポリウレタンなどの弾性体が用いられ、衝撃を和らげることができるものである。一方、エクステンション６のバット５と向き合う端面６２の外周側にはバット５の端面５３から突き出した前述のパッキン材５８が嵌合する段差６６が設けられている。
【００２４】
キュー２からエクステンション６を取り外してそのまま競技に使用することもできるが、キュー２のバット５のエクステンション６と向き合う端面に別途キャップ９を嵌め合わせることもできる。キャップ９は、図６に示すように、エクステンション６と同様に、嵌合突起９１および永久磁石９２、９３を有し、バット５の端面に形成された嵌合穴５２に嵌合突起９１を嵌め込み、端面９４にＮ極が露出した永久磁石９２とバット５の有する永久磁石５６とを密着させるとともに、端面９４にＳ極が露出した永久磁石９３とバット５の有する永久磁石５７とを密着させることでキュー２にキャップ９を取り付ける。また、キャップ９を取り外すときには、キャップ９を１８０度回転させれば永久磁石９２と永久磁石５７とが合わさる位置となり、永久磁石９３と永久磁石５７とが合わさる位置となり、それぞれの永久磁石が斥け合うので取り外すことができる。
【００２５】
なお、本発明は上述の実施形態に限定されるものではなく、本発明の技術的思想を逸脱しない範囲における種々の変形例、設計変更などをその技術的範囲内に包含するものであることは云うまでもない。
【００２６】
本実施例はバット５の端面５３とエクステンション６の端面６２とにそれぞれ２個づつの円筒形の永久磁石５６、５７、６４、６５を配置したものであるが、円筒形でなくてもよい。例えば、図７に示すように馬蹄形の筒型に形成された永久磁石であってもよく、この場合、バット５の端面５３とエクステンション６の端面６２とから露出する磁極面の面積を大きくすることができるので、より安定的にバット５とエクステンション６とを固定することができる。
【００２７】
また、図８に示すように、バット５の端面５３とエクステンション６の端面６２とにそれぞれ４個づつの永久磁石を配置したものであってもよい。この場合、バット５の端面５３にはＳ極側を露出する２個の永久磁石とＮ極側を露出する２個の永久磁石とが配置され、キュースティック１の中心軸を中心点とするバット５の端面５３上の円周にそれぞれの露出する磁極面が等間隔となるようにＳ極とＮ極とが交互に配置される。一方、エクステンション６の端面６２にもＳ極側を露出する２個の永久磁石とＮ極側を露出する２個の永久磁石とが配置され、キュースティック１の中心軸を中心点とするエクステンション６の端面６２上の円周にそれぞれの露出する磁極面が等間隔となるようにＳ極とＮ極とが交互に配置される。
【００２８】
上述の構成によると、キュー２のバット５にエクステンション６を固定させる際に、それぞれ４個の永久磁石の磁極面が引き付け合うので永久磁石が２個づつの場合に比べて、安定的に固定することができる。また、バット５からエクステンション６を取り外すときに、エクステンション６を９０度回転させると４個の磁石がそれぞれ斥け合うこととなるので、永久磁石が２個の場合のように１８０度回転させなくても取り外すことができ、より時間をかけずに取り外すことができる。
【００２９】
また、バット５の端面とエクステンション６の端面とにそれぞれ６個づつの永久磁石を配置してもよく、この場合バット５の端面とエクステンション６の端面とにそれぞれ３個のＳ極側を露出する永久磁石と３個のＮ極側を露出する永久磁石とが設けられていればよく、それぞれ上述の場合と同様に露出する磁極面が同一の円周上に等間隔となるようにＳ極とＮ極とが交互に配置されていればよい。
【００３０】
上述の構成によると、６個の永久磁石の磁極面を引き付けあうことにより固定するのでより安定的に固定できる。また、エクステンション６を６０度回転させることで６個の永久磁石を斥け合うことができるので、より時間をかけずに取り外すことができる。
【００３１】
また、本発明のキュースティック１はジョイント部５９およびエクステンション６を取り付けることで従来のキューに適用することもできる。この場合、図９に示すように、まず、従来のキューのバット５ａのシャフト４と向き合う端面と反対側の端面５３ａの中心に先端がテーパー形状となった嵌合穴底部５２ａを設ける。そして、円筒状に形成され、中央に貫通した嵌合穴口部５２ｂを有し、嵌合穴口部５２ｂの周囲にバット５ａと向き合う端面と反対側の端面５３ｂに異なる磁極面を露出させるように２個の永久磁石５７、５８を配置するジョイント部５９を、バット５ａの端面５３ａに接着剤などで貼り付ける。このように貼り付けることで、上述の実施形態のキュー２と同様の構造となるので、これにエクステンション６を嵌め合わせて固定することで、本発明のキュースティック１とすることができる。
【００３２】
上述の構成によると、従来のキューに追加して取り付けることが可能となるので、安い費用で本発明のキュースティック１を提供することができる。
【産業上の利用可能性】
【００３３】
以上のように、本発明にキュースティック１は、キュースティックの長さをすばやく調節する必要があるビリヤード競技において好適に用いられる。
【図面の簡単な説明】
【００３４】
【図１】キュースティック１を側面から見た斜視図。
【図２】バット５とエクステンション６とを分離した状態を示す拡大斜視図。
【図３】バット５とエクステンション６とを連結した状態を示す拡大斜視図。
【図４】バット５とエクステンション６とを取り外す時の状態を説明する拡大斜視図。
【図５】バット５とエクステンション６とを取り外した時のパッキン材５８と段差６６の状態を説明する簡略拡大断面図。
【図６】バット５に取付可能なキャップ９を説明する拡大斜視図。
【図７】バット５およびエクステンション６の端面５３、６２に配置された永久磁石がそれぞれ２個のときの一例を示す正面図。
【図８】バット５およびエクステンション６の端面５３、６２に配置された永久磁石がそれぞれ４個および６個のときの一例を示す正面図。。
【図９】従来のキューに本発明を適用する一例を示す拡大斜視図。
【図１０】ビリヤード台を上方から見た図。
【図１１】従来のビリヤードキュースティックを側面から見た図。
【図１２】従来のビリヤードキュースティックのバット７とエクステンション８との連結部の形状を示す拡大断面図。
【符号の説明】
【００３５】
１  キュースティック
２  キュー
３  タップ
４  シャフト
５  バット
６  エクステンション
５２  嵌合穴
５６  永久磁石
５７  永久磁石
５８  パッキン材
６１  嵌合突起
６４  永久磁石
６５  永久磁石
【図１】
2008022966.tif 000003
【図２】
2008022966.tif 000004
【図３】
2008022966.tif 000005
【図４】
2008022966.tif 000006
【図５】
2008022966.tif 000007
【図６】
2008022966.tif 000008
【図７】
2008022966.tif 000009
【図８】
2008022966.tif 000010
【図９】
2008022966.tif 000011
【図１０】
2008022966.tif 000012
【図１１】
2008022966.tif 000013
【図１２】
2008022966.tif 000014